(57)【要約】【課題】ズームのコントロールするためにズーム用ボタンの操作を行なう必要があるが、これらのボタンは、押下している時間間隔の計測や押下されている感圧により制御しているため、手動でズーム制御を行なうカメラやビデオカメラのように自由度の高い制御を行なうことができなかった。【解決手段】ズーム用のボタン操作ではなく、リボンコントローラなどの連続的な値が取得可能なコントローラ１１２を使用し、手動式のズーム制御のようなユーザーの意図する速度でのシームレスなズーム制御と電子制御での利点である瞬時なズーム切り替えの両方の利点を可能とした。本発明により操作性を向上させたユーザーフレンドリーな操作装置を提供することを目的とする。【選択図】図１
2007060195.tif 000002
【特許請求の範囲】
【請求項１】
映像信号を記録可能な映像信号記録装置において、被写体を映像信号に変換する映像信号入力手段と、前記映像信号入力手段の倍率を制御するズーム制御手段と、前記映像信号入力手段からの映像信号に圧縮処理を行なう映像信号圧縮処理手段と、圧縮された映像信号を記録媒体に記録する圧縮映像信号記録手段と、連続値が取得可能なコントロール手段とを備え、前記ズーム制御手段は、前記コントロール手段により得られた値によりズーム制御を行なうことを特徴とする映像記録装置。
【請求項２】
前記コントロール手段は、所定の単位時間ごとに連続値を取得する請求項１記載の映像記録装置。
【請求項３】
前記ズーム制御手段は、前記コントロール手段から取得できる値の範囲と、ズーム可能な倍率とを線形で対応させた位置としてズーム制御を行なう請求項１記載の映像記録装置。
【請求項４】
前記ズーム制御手段は、前記コントロール手段の所定位置を基準点とし、前記コントロール手段から得られる現在のズーム位置を、前記基準点からの移動量としてズーム制御を行なう請求項１記載の映像記録装置。
【請求項５】
映像信号を記録可能な映像信号記録装置において、被写体を映像信号に変換する映像信号入力手段と、前記映像信号入力手段の倍率を制御するズーム制御手段と、前記映像信号入力手段からの映像信号に圧縮処理を行なう映像信号圧縮処理手段と、圧縮された映像信号を記録媒体に記録する圧縮映像信号記録手段と、連続値が取得可能なコントロール手段とを備え、前記ズーム制御手段は、前記コントローラ手段から得られる操作速度および操作移動量によりズーム制御を行なうことを特徴とする映像記録装置。
【請求項６】
前記ズーム制御手段は、前記コントローラ手段より取得した操作速度により、操作の移動量に対する係数を決定する請求項５記載の映像記録装置。
【請求項７】
前記ズーム制御手段は、前記コントローラ手段より取得した操作速度により、操作の移動量に応じた係数をテーブルにて決定する請求項５記載の映像記録装置。
【発明の詳細な説明】
【技術分野】
【０００１】
本発明は、映像信号を圧縮して記録する装置にあって、ズーム制御に特徴を有する映像信号記録装置に関するものである。
【背景技術】
【０００２】
近年のデバイス技術の進展により、デジタル化された動画映像信号の記録メディアとしてテープメディアから、ＤＶＤに代表される光ディスクや、メモリカードに代表されるフラッシュメモリ等の不揮発性メモリへ記録を行なう応用機器が普及し始めている。
【０００３】
そして、光ディスクやフラッシュメモリなどの蓄積メディアを記録、再生するデジタルスチルカメラやビデオカメラ装置では、電子制御化されたズーム機構が実現されている。
【０００４】
そして、ユーザーは、Ｗ／Ｔ（ワイド／テレ）と書かれたズーム用のボタンの操作などを行なうことによりズーム制御を行なうことができる。
【特許文献１】特開昭６３−２８４９９０号公報
【発明の開示】
【発明が解決しようとする課題】
【０００５】
しかしながら、これらのボタンの操作は、押下している時間間隔の計測や押下されている感圧により制御しているため、従来の手動式のズーム制御を行なうカメラやビデオカメラのように自由度の高い制御を行なうことができず、ユーザーの意図しないズーミングであったり、瞬時的にズームを行なえないなどの問題があった。
【０００６】
そこで、上記課題に対して、Ｗ／Ｔと書かれたボタンの操作などを行なうことなく、リボンコントローラなどの連続的な値が取得可能なコントローラを使用し、容易に所望のズーム制御を行なうことができる機能を実現し、操作性を向上させたユーザーフレンドリーな映像記録装置を提供することを目的とする。
【課題を解決するための手段】
【０００７】
本発明は、映像信号を記録可能な映像記録装置において、被写体を映像信号に変換する映像信号入力手段と、前記映像信号入力手段の倍率を制御するズーム制御手段と、前記映像信号入力手段からの映像信号に圧縮処理を行なう映像信号圧縮処理手段と、圧縮された映像信号を記録媒体に記録する圧縮映像信号記録手段と、連続値が取得可能なコントロール手段とを備え、前記ズーム制御手段は、前記コントロール手段により得られた値によりズーム制御を行なうものである。
【０００８】
好ましくは、前記コントロール手段は、所定の単位時間ごとに連続値を取得するものである。  
【発明の効果】
【０００９】
本発明により、ユーザーの操作に対応したズーム制御を行うことがで、ユーザーの意図したズーミングを行なうことが可能となり、また瞬時的にズームを行なうことが可能となり、操作性および利便性の向上が図れる。
【発明を実施するための最良の形態】
【００１０】
本発明の映像記録装置は、光学式およびデジタルズーム機構を備えたデジタルスチルカメラやビデオカメラなどの装置の操作面にコントローラ手段を設ける実現する。
【００１１】
（実施の形態）
以下、添付の図面を参照しながら、本発明の実施の形態による映像記録装置を詳細に説明する。
【００１２】
図１は、本発明の実施の一例による映像記録装置の構成を示すブロック図である。
【００１３】
図１において、１０１は被写体を電気的な映像信号に変換して出力する映像信号入力手段、１０２は映像信号入力手段の出力の映像信号に圧縮処理を施す映像信号圧縮処理手段、１０３は圧縮された映像信号を記録媒体に記録する圧縮映像寝具尾記録手段、１０４は撮影状態や操作状態などを出力する表示器、１０５は光ディスク、磁気ディスク、不揮発性メモリなどの記録媒体、１０６は映像信号圧縮処理手段の動作を制御するための記録制御手段、１０７は記録の開始や停止を指示するための操作パネル、１０８は記録ボタン、１０９は停止ボタン、１１０は映像信号入力手段１０１のズーム倍率を制御するズーム制御手段、１１２はリボンコントローラやタッチセンサーなどの連続値が取得可能かコントロール手段としてのコントローラ、１１１はコントローラ１１１からの出力を検出し制御用信号としてズーム制御手段１１０に与えるコントローラ操作検出部である。
【００１４】
以上のように構成された映像記録装置について、以下、記録動作の説明を行なう。
【００１５】
映像記録装置が記録停止状態、つまり記録モニター状態であるとすると、映像信号入力手段１０１より入力された信号は、記録停止状態であるので、少なくとも記録媒体１０５には転送されず、表示器１０４に転送され、表示器１０４にスルー画像が出力される。
【００１６】
この時、ユーザーが操作パネル１０７上の記録ボタン１０８を押下すると、記録制御手段１０６に記録開始が指示され、記録動作状態となる。
【００１７】
記録動作状態になると、映像信号入力手段１０１から映像信号圧縮処理手段１０２に映像信号が入力されるようになり、映像信号圧縮処理手段１０２により圧縮された入力映像信号は圧縮映像信号記録手段１０３により記録媒体１０５に記録される。
【００１８】
また、映像記録装置が記録動作状態である場合に、ユーザーが操作パネル１０７上の停止ボタン１０９を押下すると、記録制御手段１０６に記録停止が指示される。
【００１９】
記録制御手段１０６は、映像信号入力手段１０１から映像信号圧縮手段１０２への入力を停止させ、または圧縮映像信号記録手段１０３から記録媒体１０５への記録を停止させ、記録停止状態となる。
【００２０】
図２は、本発明の実施の形態による映像記録装置の操作パネル１０７とコントローラ１１２を表した概念図である。以下、本実施の形態において、順方向操作とはコントローラ１１２に指で触れた状態で右方向へ移動し、その後にコントローラ１１２から指を離す操作であり、逆方向操作とは順方向操作とは逆の左方向への操作であるとする。
【００２１】
図３は、本発明の実施の形態による映像記録装置におけるコントローラ１１２から得られる値とズーム位置とを線形に対応させたズーム制御を行なう際のフローチャートである。以下に、映像記録装置におけるコントローラ１１２から得られる値とズーム位置とを線形に対応させたズーム制御を行なう際の説明を行なう。
【００２２】
図４は、コントローラ１１２の順方向操作を表したものである。
【００２３】
図４において、映像記録装置が記録動作状態および記録停止状態である場合に、コントローラ１１２で位置４０１から位置４０２へ操作された場合、まず位置４０１に触れた瞬間にコントローラ１１２からある値が得られる（コントローラ値が０ではない）ので、コントローラ操作検出部１１１にて、図３のステップＳ３０１からステップＳ３０２への分岐が行なわれる。ステップＳ３０２では、コントローラ１１２から得られた値より係数を求め、ステップＳ３０３に進む。ステップＳ３０３では、ステップＳ３０２にて求められた係数とズームレンジより現在のズーム倍率を算出する。位置４０１の場合は、×１．０となる。コントローラ操作検出部１１１は、ステップＳ３０４にて算出されたズーム倍率をズーム制御手段１１０に通知する。ズーム制御手段１１０は通知されたズーム倍率にズームを調整する。
【００２４】
また、単位時間毎に、図３に示した処理が繰り返される。この単位時間の繰り返しによって、位置４０１から位置４０２へ操作された時に、コントローラ操作検出部１１１は、ズーム倍率１．０から２．０への値を算出し、単位時間ごとにズーム制御手段１１０にズーム倍率を通知する。
【００２５】
単位時間ごとにコントローラ操作検出部１１１にて、ズーム倍率を算出し、ズーム制御手段１１０にズーム倍率を通知するので、素早くコントローラ１１２を操作した際には、素早いズーミングを行なうことができ、ゆっくりコントローラ１１２を操作した際には、ゆっくりとしたズーミングを行なうことができる。従って、ユーザーの意図した速度でのズーミングを行なうことが可能となる。
【００２６】
また、図４を元にコントローラ１１２の位置４０２に触れただけの場合を説明する。
【００２７】
映像記録装置が、記録動作状態および記録停止状態である場合に、コントローラ１１２の位置４０２にユーザーが指で触れ、すぐに手を離した場合、コントローラ操作検出部１１１は、所定の基準点からの位置関係も基づくコントローラ値からズーム倍率が×２．０であると算出し、ズーム制御手段１１０に通知する。ズーム制御手段１１０は機構的に可能な限りの速度でズーミングを行なうことで、瞬時的にズーム倍率を変更することが可能となる。
【００２８】
瞬時的なズーム倍率の変更により、ユーザーはＷ／Ｔといったボタンを押し続けることなく瞬時的なズーム倍率の変更が可能となる。
【００２９】
図５は、本発明の実施の形態の他の例による映像記録装置におけるコントローラ１１２から得られる値から操作速度と操作移動量を求め、それらを元にズーム制御を行なう際のフローチャートである。
【００３０】
図６は、コントローラ１１２をズームイン方向へ操作したことを表す操作の概念図である。この場合、左端６０１が最小位置を示し、右端６０２が最大位置をしめす。また、左方向がズームアウトを行なう場合の操作方向、右方向がズームインを行なう場合の操作方向である。
【００３１】
映像記録装置は、単位時間ごとにコントローラ１１２の値をチェックし、図５のステップＳ５０１からステップＳ５１１までの処理を繰り返し実行している。
【００３２】
ステップＳ５０１でコントローラ値が０であればＳ５０２でコントローラ値を記憶し、０以外であればステップＳ５０３に移行する。Ｓ５０３で前回のコントローラ値が０であればＳ５０２でコントローラ値を記憶し、０以外であればステップＳ５０４に移行する。したがて、連続で０以外の値が検出されるとステップＳ５０４に移行する。
【００３３】
映像記録装置が、記録動作状態または記録停止状態である場合に、図６に示すようにコントローラ１１２を素早く操作した場合、ステップＳ５０４（移動量の算出）からステップ５０６（操作速度の算出）の処理にて、素早く操作されたことを検知する。この時の操作速度が検知できうる最高速度であり、ステップＳ５０７で算出できる係数が、例えば０．１→１．０であったとする。ステップＳ５０７では、この時１．０の係数が算出される。なお、ステップＳ５０７における係数の算出は、個々算出してもよく、テーブルを用いて決定してもよい。
【００３４】
ステップＳ５０８では、（操作された移動量×係数／最大操作移動量）×ズームレンジ、の計算を行ない、現在のズーム倍率に対する加算量を算出する。ステップＳ５０９にて、現在のズーム倍率とステップＳ５０８にて求めた加算量から次に設定すべきズーム倍率を算出する。ステップＳ５１０では、ステップＳ５０９にて算出したズーム倍率を記憶させ、ステップＳ５１１にてズーム制御手段１１０にズーム倍率を指示する。この場合、ステップＳ５１１にてズーム制御手段１１０に指示したズーム倍率と前回のズーム倍率との差分が大きいので素早いズーミングが可能となる。
【００３５】
また、図６のコントローラ１１２の操作を検知可能な最遅速度でゆっくりと操作した場合には、ステップ５０９にて算出される係数が、前記の例では０．１と算出され、ステップＳ５０９で算出される加算量も小さくなるため、ステップＳ５１１にてズーム制御手段１１０に指示するズーム倍率と前回のズーム倍率との差分が小さいのでゆっくりとしたズーミングかつ微妙な調整を行なうことができる。
【００３６】
コントローラ１１２の操作をズームアウト方向に操作した場合には、ステップＳ５０８にて負の加算量が得られるので、現在のズーム倍率に対して減算処理となるので、ズームアウトを行なうことができる。
【００３７】
以上のように、ズームイン及びズームアウトを、操作速度と移動量から制御するので、ユーザーの意図するズーム制御を実現することができる。
【産業上の利用可能性】
【００３８】
本発明の映像記録装置は、直感的で分かり易いズーム制御のインターフェースを提供することができるので、映像信号を記録することができるデジタルスチルカメラやビデオカメラ等の映像機器に適用できる。
【図面の簡単な説明】
【００３９】
【図１】本発明の実施の形態による映像記録装置の構成を示すブロック図
【図２】同映像記録装置の操作パネルの一例を示す概念図
【図３】同映像記録装置のズーム制御を説明するためのフローチャート
【図４】同映像記録装置のコントローラの操作を説明するための概念図
【図５】同映像記録装置のズーム制御の他の例を説明するためのフローチャート
【図６】同映像記録装置のコントローラの操作を説明するための概念図
【符号の説明】
【００４０】
１０１    映像信号入力手段
１０２    映像信号圧縮処理手段
１０３    圧縮映像信号記録手段
１０４    表示器
１０５    記録媒体
１０６    記録制御手段
１０７    操作パネル
１０８    記録ボタン
１０９    停止ボタン
１１０    ズーム制御手段
１１１    コントローラ操作検出部
１１２    コントローラ
【図１】
2007060195.tif 000003
【図２】
2007060195.tif 000004
【図３】
2007060195.tif 000005
【図４】
2007060195.tif 000006
【図５】
2007060195.tif 000007
【図６】
2007060195.tif 000008